(57)【要約】  【課題】  不特定多数の第三者でも再利用可能なゴミの回収希望の有無を確認することができ、必要な場合にはリサイクルへ回すことができる再利用可能なゴミの回収システム、コンピュータプログラム及び再利用可能なゴミの回収方法を提供する。  【解決手段】  中央装置は、一の端末装置から、少なくとも再利用可能なゴミを識別する情報を含む再利用可能なゴミに関する情報を受信して記憶し、記憶してある再利用可能なゴミに関する情報を他の端末装置で表示すべく送信し、他の端末装置からの再利用可能なゴミの回収を申し込む旨を示す回収申し込み情報を受信し、再利用可能なゴミに関する情報を記憶した時点から所定の時間経過する前に回収申し込み情報を受信した場合、回収申し込み情報の送信先である他の端末装置を識別する情報を再利用可能なゴミの回収先として割当てて記憶し、他の端末装置へ回収先として割当てた旨を示す情報を送信する。【選択図】        図３
2006008312.tif 000002
【特許請求の範囲】
【請求項１】
再利用可能なゴミの回収先を制御する中央装置と、該中央装置と通信手段を介して接続してある複数の端末装置とを備える再利用可能なゴミの回収システムにおいて、
前記中央装置は、少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶してあり、
前記中央装置が前記第１の表示データを前記端末装置へ送信する手段と、
一の端末装置で、少なくとも再利用可能なゴミを識別する情報を含む再利用可能なゴミに関する情報を受け付ける手段と、
前記一の端末装置が前記再利用可能なゴミに関する情報を前記中央装置へ送信する手段と、
前記中央装置が前記再利用可能なゴミに関する情報を前記一の端末装置から受信して記憶する手段と、
前記中央装置が、記憶してある再利用可能なゴミに関する情報、前記第２の表示データ及び前記第３の表示データを他の端末装置へ送信する手段と、
前記他の端末装置で、再利用可能なゴミを識別する情報を含む再利用可能なゴミの回収を申し込む旨を示す回収申し込み情報を受け付ける手段と、
前記他の端末装置が、前記回収申し込み情報を前記中央装置へ送信する手段と、
前記中央装置が前記他の端末装置から前記回収申し込み情報を受信する手段と、
前記中央装置が再利用可能なゴミに関する情報を記憶した時点から所定の時間経過する前に前記他の端末装置から前記回収申し込み情報を受信した場合、前記中央装置が受信した回収申し込み情報の送信先である前記他の端末装置を識別する情報を、該再利用可能なゴミの回収先として割当てて記憶する手段と、
前記中央装置が前記他の端末装置へ回収先として割当てた旨を示す情報を送信する手段と
を備えることを特徴とする再利用可能なゴミの回収システム。
【請求項２】
前記再利用可能なゴミに関する情報は、再利用可能なゴミの種類、量、及び回収場所に関する情報を含むことを特徴とする請求項１記載の再利用可能なゴミの回収システム。
【請求項３】
再利用可能なゴミの回収先を制御し、通信手段を介して外部と接続してあるコンピュータで実行することが可能なコンピュータプログラムにおいて、
少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶手段へ記憶しておき、
前記第１の表示データを外部へ送信する手段と、
外部から、少なくとも再利用可能なゴミを識別する情報を含む再利用可能なゴミに関する情報を受信して記憶する手段と、
該手段で記憶した再利用可能なゴミに関する情報、前記第２の表示データ及び前記第３の表示データを外部へ送信する手段と、
外部から再利用可能なゴミを識別する情報を含む再利用可能なゴミの回収を申し込む旨を示す回収申し込み情報を受信する手段と、
再利用可能なゴミに関する情報を記憶した時点から所定の時間経過する前に外部から前記回収申し込み情報を受信した場合、受信した回収申し込み情報の送信先を識別する情報を、該再利用可能なゴミの回収先として割当てて記憶する手段と、
外部へ回収先として割当てた旨を示す情報を送信する手段と
を含むことを特徴とするコンピュータプログラム。
【請求項４】
再利用可能なゴミの回収先を制御する中央装置と、該中央装置と通信手段を介して接続してある複数の端末装置とを用いた再利用可能なゴミの回収方法において、
前記中央装置は、少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶し、
前記中央装置は、前記第１の表示データを前記端末装置へ送信し、
一の端末装置は、少なくとも再利用可能なゴミを識別する情報を含む再利用可能なゴミに関する情報を受け付け、該再利用可能なゴミに関する情報を前記中央装置へ送信し、
前記中央装置は、該再利用可能なゴミに関する情報を前記一の端末装置から受信して記憶し、記憶してある再利用可能なゴミに関する情報、前記第２の表示データ及び前記第３の表示データを他の端末装置へ送信し、
前記他の端末装置は、再利用可能なゴミを識別する情報を含む再利用可能なゴミの回収を申し込む旨を示す回収申し込み情報を受け付け、該回収申し込み情報を前記中央装置へ送信し、
前記中央装置は、前記他の端末装置から前記回収申し込み情報を受信し、再利用可能なゴミに関する情報を記憶した時点から所定の時間経過する前に前記他の端末装置から前記回収申し込み情報を受信した場合、受信した回収申し込み情報の送信先である前記他の端末装置を識別する情報を、該再利用可能なゴミの回収先として割当てて記憶し、前記他の端末装置へ回収先として割当てた旨を示す情報を送信することを特徴とする再利用可能なゴミの回収方法。
【請求項５】
前記再利用可能なゴミは、少なくとも再利用可能なゴミを識別する情報を含む再利用可能なゴミに関する情報を前記端末装置で入力された時点で、前記再利用可能なゴミを識別する情報を表示した識別標識を貼付し、
前記中央装置は、通信機能を有する撮像装置で前記識別標識を撮像した画像を受信し、
受信した前記識別標識の画像を解析して、再利用可能なゴミを識別する情報を抽出し、
抽出した再利用可能なゴミを識別する情報と、記憶している再利用可能なゴミを識別する情報とが一致しているか否かを判断し、
一致していると判断した場合、前記通信機能を有する撮像装置へ回収を許可する旨を示す回収許可情報を送信することを特徴とする請求項４記載の再利用可能なゴミの回収方法。
【発明の詳細な説明】
【技術分野】
【０００１】
本発明は、再利用可能なゴミが提供された場合、ネットワークを介してリサイクル希望者を募り、希望者が出た再利用可能なゴミをリサイクルへ回すことができ、提出された再利用可能なゴミが提供者により出された再利用可能なゴミであるか否かを回収時点で確認することができる再利用可能なゴミの回収システム、コンピュータプログラム及び再利用可能なゴミの回収方法に関する。
【背景技術】
【０００２】
従来の再利用可能なゴミの回収システムの一例を説明する。なお、再利用可能なゴミとは、粗大ゴミのように大型でリサイクルにより再利用する可能性が高いゴミ、書籍、雑誌、カン、ビン等の資源ゴミ等の総称である。まず、再利用可能なゴミの回収希望者は、コンビニエンスストア等で再利用可能なゴミの回収料金に相当する再利用可能なゴミ処理券を購入する。再利用可能なゴミの回収希望者は、購入した再利用可能なゴミ処理券を、回収対象となる再利用可能なゴミに貼付する。
【０００３】
再利用可能なゴミの回収希望者は、自己の所属する自治体の再利用可能なゴミ受付センタへ電話連絡し、再利用可能なゴミの回収日時及び回収場所を決定する。回収場所としては、例えば自宅前、近隣の指定場所等である。再利用可能なゴミの回収希望者は、再利用可能なゴミ処理券を貼付している回収対象の再利用可能なゴミを、決定した回収日時に、決定した回収場所へ出しておく。
【０００４】
再利用可能なゴミの回収希望者の所属する自治体の再利用可能なゴミ受付センタは、決定した回収日時に、決定した回収場所へ再利用可能なゴミ回収業者が出向くよう手配する。再利用可能なゴミ回収業者は、自治体の委託を受けた民間の回収業者又は自治体自身である。再利用可能なゴミ回収業者は、決定した回収日時に、決定した回収場所へ出向いて、再利用可能なゴミ処理券が貼付してある再利用可能なゴミを回収し、ゴミ処分場で処分する、またはリサイクルセンタへ送付する。
【０００５】
自治体は、再利用可能なゴミに貼付されている再利用可能なゴミ処理券を確認することで、再利用可能なゴミの回収希望者により料金が支払い済みであるか否かを確認している。自治体は、コンビニエンスストア等の手数料その他を差し引いた残金を再利用可能なゴミ回収業者に別途支払い、再利用可能なゴミの回収費用、廃棄費用等に充当している。
【０００６】
しかし、上述した従来の再利用可能なゴミの回収システムでは、コンビニエンスストア等まで出向いて再利用可能なゴミの回収料金に相当する再利用可能なゴミ処理券を購入する必要があり、回収希望者にとっては手間がかかっていた。また、再利用可能なゴミの回収場所を回収業者が特定できないおそれがあり、回収希望者の出している再利用可能なゴミが回収されずに積み残しになる場合も生じていた。
【０００７】
そこで、例えば特許文献１では、インターネットを用いて廃棄物の収集スケジュールを公開しておき、廃棄物の廃棄者は、インターネットを介して廃棄物の収集予約を行うことで確実な廃棄物の収集機会を確保しつつ、同時に電子決済により料金の回収を行うインターネットを用いた廃棄物収集システムを開示している。これにより、廃棄物の廃棄者は、コンビニエンスストア等まで出向く必要がなく、廃棄者の出している廃棄物が回収されずに積み残しになる可能性も未然に回避することができる。
【特許文献１】特開２００１−２７３３８７号公報
【発明の開示】
【発明が解決しようとする課題】
【０００８】
しかし、上述した従来の廃棄物収集システムでは、再利用可能なゴミの回収希望者の所属する自治体は、再利用可能なゴミの回収希望の有無を把握することができるものの、不特定多数の第三者は再利用可能なゴミの回収希望の有無を確認する手段がない。したがって、ある者にとっては回収してリサイクルするに値するゴミであるにもかかわらず、自治体の判断で廃棄処分されるおそれがあり、資源の有効活用という観点から好ましくない。
【０００９】
また、再利用可能なゴミの回収場所には、所定の時間になった場合、対象となる再利用可能なゴミが回収希望者により出される。したがって、悪意ある第三者が、自分のゴミを便乗して回収させるべく、同じ回収場所にゴミを出した場合、回収業者は、料金の支払いがなされているゴミであるか否かを回収場所で判断する手段がなく、本来回収されるべき再利用可能なゴミが回収されない場合、あるいは本来回収の対象でない再利用可能なゴミが回収される場合等が想定される。前者の場合には、料金を支払っているにもかかわらず回収サービスの提供を受けることができないという債務不履行の問題が生じ、後者の場合には、料金を支払うことなく不要なゴミを処分されてしまう結果となり、公共サービスの公平性を担保することができないという問題が生じる。
【００１０】
本発明は、斯かる事情に鑑みてなされたものであり、不特定多数の第三者でも再利用可能なゴミの回収希望の有無を確認することができ、必要な場合にはリサイクルへ回すことができる再利用可能なゴミの回収システム、コンピュータプログラム及び再利用可能なゴミの回収方法を提供することを目的とする。
【００１１】
また本発明は、再利用可能なゴミの回収時点で、回収の対象であるゴミであるか否かを確認することができ、悪意ある第三者による料金支払いなきゴミの廃棄を未然に防止することができる再利用可能なゴミの回収システム、コンピュータプログラム及び再利用可能なゴミの回収方法を提供することを目的とする。
【課題を解決するための手段】
【００１２】
上記目的を達成するために第１発明に係る再利用可能なゴミの回収システムは、再利用可能なゴミの回収先を制御する中央装置と、該中央装置と通信手段を介して接続してある複数の端末装置とを備える再利用可能なゴミの回収システムにおいて、前記中央装置は、少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶してあり、前記中央装置が前記第１の表示データを前記端末装置へ送信する手段と、一の端末装置で、少なくとも再利用可能なゴミを識別する情報を含む再利用可能なゴミに関する情報を受け付ける手段と、前記一の端末装置が前記再利用可能なゴミに関する情報を前記中央装置へ送信する手段と、前記中央装置が前記再利用可能なゴミに関する情報を前記一の端末装置から受信して記憶する手段と、前記中央装置が、記憶してある再利用可能なゴミに関する情報、前記第２の表示データ及び前記第３の表示データを他の端末装置へ送信する手段と、前記他の端末装置で、再利用可能なゴミを識別する情報を含む再利用可能なゴミの回収を申し込む旨を示す回収申し込み情報を受け付ける手段と、前記他の端末装置が、前記回収申し込み情報を前記中央装置へ送信する手段と、前記中央装置が前記他の端末装置から前記回収申し込み情報を受信する手段と、前記中央装置が再利用可能なゴミに関する情報を記憶した時点から所定の時間経過する前に前記他の端末装置から前記回収申し込み情報を受信した場合、前記中央装置が受信した回収申し込み情報の送信先である前記他の端末装置を識別する情報を、該再利用可能なゴミの回収先として割当てて記憶する手段と、前記中央装置が前記他の端末装置へ回収先として割当てた旨を示す情報を送信する手段とを備えることを特徴とする。
【００１３】
第１発明に係る再利用可能なゴミの回収システムにおいては、再利用可能なゴミの回収希望者が、一の端末装置で、少なくとも再利用可能なゴミを識別する情報を含む再利用可能なゴミに関する情報を入力し、中央装置は、回収希望対象として記憶した再利用可能なゴミに関する情報を、他の端末装置に表示させ、表示されている再利用可能なゴミのリサイクルの希望者は、他の端末装置で、再利用可能なゴミを識別する情報を含む再利用可能なゴミの回収を申し込む旨を示す回収申し込み情報を入力する。所定に時間内に回収申し込み情報が入力された場合、入力したリサイクルの希望者が回収する旨を示す情報を、対応する他の端末装置へ送信する。これにより、再利用可能なゴミとして登録された場合、広く不特定多数の第三者に対して公開され、リサイクルの希望者が所定の期間内にリサイクル目的での回収を希望した場合、リサイクルの希望者を、再利用可能なゴミの回収者として割当てることができ、自治体の枠に止まらずに、広くリサイクル対象物の流通を促進することが可能となる。
【００１４】
また、第２発明に係る再利用可能なゴミの回収システムは、第１発明において、前記再利用可能なゴミに関する情報は、再利用可能なゴミの種類、量、及び回収場所に関する情報を含むことを特徴とする。
【００１５】
第２発明に係る再利用可能なゴミの回収システムにおいては、再利用可能なゴミに関する情報として、少なくとも再利用可能なゴミの種類、量、及び回収場所に関する情報を含む。これにより、再利用可能なゴミに関する情報が公開されたリサイクルの希望者は、リサイクル可能な種類のゴミであるか否か、回収可能な量であるか否か、回収に出向くことができる場所であるか否かを判断することができ、回収申し込み情報を送信した後に回収不能となる事態を未然に防止することが可能となる。
【００１６】
また、第３発明に係るコンピュータプログラムは、再利用可能なゴミの回収先を制御し、通信手段を介して外部と接続してあるコンピュータで実行することが可能なコンピュータプログラムにおいて、少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶手段へ記憶しておき、前記第１の表示データを外部へ送信する手段と、外部から、少なくとも再利用可能なゴミを識別する情報を含む再利用可能なゴミに関する情報を受信して記憶する手段と、該手段で記憶した再利用可能なゴミに関する情報、前記第２の表示データ及び前記第３の表示データを外部へ送信する手段と、外部から再利用可能なゴミを識別する情報を含む再利用可能なゴミの回収を申し込む旨を示す回収申し込み情報を受信する手段と、再利用可能なゴミに関する情報を記憶した時点から所定の時間経過する前に外部から前記回収申し込み情報を受信した場合、受信した回収申し込み情報の送信先を識別する情報を、該再利用可能なゴミの回収先として割当てて記憶する手段と、外部へ回収先として割当てた旨を示す情報を送信する手段とを含むことを特徴とする。
【００１７】
第３発明に係るコンピュータプログラムにおいては、再利用可能なゴミの回収希望者が、一の端末装置において入力した、少なくとも再利用可能なゴミを識別する情報を含む再利用可能なゴミに関する情報に基づいて、回収希望対象として記憶した再利用可能なゴミに関する情報を、他の端末装置に表示させ、リサイクルの希望者により、他の端末装置において表示されている回収希望として記憶してある再利用可能なゴミの仲から選択されたゴミを識別する情報を含む再利用可能なゴミの回収を申し込む旨を示す回収申し込み情報を受け付ける。所定に時間内に回収申し込み情報を受け付けた場合、受け付けたリサイクルの希望者が回収する旨を示す情報を、該回収申し込み情報の送信先である他の端末装置へ送信する。これにより、再利用可能なゴミとして登録された場合、広く不特定多数の第三者に対して公開され、リサイクルの希望者が所定の期間内にリサイクル目的での回収を希望した場合、リサイクルの希望者を、再利用可能なゴミの回収者として割当てることができ、自治体の枠に止まらずに、広くリサイクル対象物の流通を促進することが可能となる。
【００１８】
また、第４発明に係る再利用可能なゴミの回収方法は、再利用可能なゴミの回収先を制御する中央装置と、該中央装置と通信手段を介して接続してある複数の端末装置とを用いた再利用可能なゴミの回収方法において、前記中央装置は、少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶してあり、前記中央装置は、前記第１の表示データを前記端末装置へ送信し、一の端末装置は、少なくとも再利用可能なゴミを識別する情報を含む再利用可能なゴミに関する情報を受け付け、該再利用可能なゴミに関する情報を前記中央装置へ送信し、前記中央装置は、該再利用可能なゴミに関する情報を前記一の端末装置から受信して記憶し、記憶してある再利用可能なゴミに関する情報、前記第２の表示データ及び前記第３の表示データを他の端末装置へ送信し、前記他の端末装置は、再利用可能なゴミを識別する情報を含む再利用可能なゴミの回収を申し込む旨を示す回収申し込み情報を受け付け、該回収申し込み情報を前記中央装置へ送信し、前記中央装置は、前記他の端末装置から前記回収申し込み情報を受信し、再利用可能なゴミに関する情報を記憶した時点から所定の時間経過する前に前記他の端末装置から前記回収申し込み情報を受信した場合、受信した回収申し込み情報の送信先である前記他の端末装置を識別する情報を、該再利用可能なゴミの回収先として割当てて記憶し、前記他の端末装置へ回収先として割当てた旨を示す情報を送信することを特徴とする。
【００１９】
第４発明に係る再利用可能なゴミの回収方法においては、再利用可能なゴミの回収希望者が、一の端末装置で、少なくとも再利用可能なゴミを識別する情報を含む再利用可能なゴミに関する情報を入力し、中央装置は、回収希望対象として記憶した再利用可能なゴミに関する情報を、他の端末装置に表示させ、表示されている再利用可能なゴミのリサイクルの希望者は、他の端末装置で、再利用可能なゴミを識別する情報を含む再利用可能なゴミの回収を申し込む旨を示す回収申し込み情報を入力する。所定に時間内に回収申し込み情報が入力された場合、入力したリサイクルの希望者が回収する旨を示す情報を、対応する他の端末装置へ送信する。これにより、再利用可能なゴミとして登録された場合、広く不特定多数の第三者に対して公開され、リサイクルの希望者が所定の期間内にリサイクル目的での回収を希望した場合、リサイクルの希望者を、再利用可能なゴミの回収者として割当てることができ、自治体の枠に止まらずに、広くリサイクル対象物の流通を促進することが可能となる。
【００２０】
また、第５発明に係る再利用可能なゴミの回収方法は、第４発明において、前記再利用可能なゴミは、少なくとも再利用可能なゴミを識別する情報を含む再利用可能なゴミに関する情報を前記端末装置で入力された時点で、前記再利用可能なゴミを識別する情報を表示した識別標識を貼付し、前記中央装置は、通信機能を有する撮像装置で前記識別標識を撮像した画像を受信し、受信した前記識別標識の画像を解析して、再利用可能なゴミを識別する情報を抽出し、抽出した再利用可能なゴミを識別する情報と、記憶している再利用可能なゴミを識別する情報とが一致しているか否かを判断し、一致していると判断した場合、前記通信機能を有する撮像装置へ回収を許可する旨を示す回収許可情報を送信することを特徴とする。
【００２１】
第５発明に係る再利用可能なゴミの回収方法においては、再利用可能なゴミを識別する情報を表示した識別標識を回収対象となるゴミに貼付しておき、回収業者が通信機能を有する撮像装置、例えばカメラ付き携帯電話で識別標識を撮像した画像に基づいて、再利用可能なゴミを識別する情報を抽出し、抽出した再利用可能なゴミを識別する情報と、記憶している再利用可能なゴミを識別する情報とが一致している場合、回収業者による回収を許可する。これにより、悪意ある第三者が、自分のゴミを便乗して回収させるべく、同じ回収場所にゴミを出した場合であっても、回収業者は、料金の支払いがなされているゴミであるか否かを回収場所で判断することができ、本来回収されるべき再利用可能なゴミだけを回収し、悪意ある第三者による料金支払いなきゴミの廃棄を未然に防止することが可能となる。
【発明の効果】
【００２２】
第１発明、第３発明及び第４発明によれば、再利用可能なゴミとして登録された場合、広く不特定多数の第三者に対して公開され、リサイクルの希望者が所定の期間内にリサイクル目的での回収を希望した場合、リサイクルの希望者を、再利用可能なゴミの回収者として割当てることができ、自治体の枠に止まらずに、広くリサイクル対象物の流通を促進することが可能となる。
【００２３】
第２発明によれば、再利用可能なゴミに関する情報が公開されたリサイクルの希望者は、リサイクル可能な種類のゴミであるか否か、回収可能な量であるか否か、回収に出向くことができる場所であるか否かを判断することができ、回収申し込み情報を送信した後に回収不能となる事態を未然に防止することが可能となる。
【００２４】
第５発明によれば、悪意ある第三者が、自分のゴミを便乗して回収させるべく、同じ回収場所にゴミを出した場合であっても、回収業者は、料金の支払いがなされているゴミであるか否かを回収場所で判断することができ、本来回収されるべき再利用可能なゴミだけを回収し、悪意ある第三者による料金支払いなきゴミの廃棄を未然に防止することが可能となる。
【発明を実施するための最良の形態】
【００２５】
（実施の形態１）
以下、本発明の実施の形態１に係る再利用可能なゴミの回収システムについて図面に基づいて具体的に説明する。図１は、本発明の実施の形態１に係る再利用可能なゴミの回収システムの構成を示すブロック図である。本実施の形態１では、市役所等の自治体に設置してある中央装置１と、一般の利用者の家庭に設定してある複数の端末装置２、２、・・・とが、インターネット３等の通信手段を介して相互にデータを送受信することが可能に接続されている。
【００２６】
中央装置１は、各利用者の端末装置２、２、・・・からのアクセスを検知した場合、すなわち画面の表示要求情報を受信した場合、表示要求情報の送信先である端末装置２、２、・・・に対してＨＴＭＬデータを送信し、各端末装置２で画面を表示し、表示した画面を介して回収を希望する再利用可能なゴミに関する情報、再利用可能なゴミの回収を申し込む旨を示す回収申し込み情報等を収集するウェブサーバとして機能する。
【００２７】
中央装置１は、少なくとも、ＣＰＵ（中央演算装置）１１、記憶手段１２、ＲＡＭ１３、インターネット３等の外部の通信手段と接続する通信インタフェース１４、入力手段１５、出力手段１６及びＤＶＤ、ＣＤ等の可搬型記録媒体１８を用いる補助記憶手段１７で構成される。
【００２８】
ＣＰＵ１１は、内部バス１９を介して中央装置１の上述したようなハードウェア各部と接続されており、上述したハードウェア各部を制御するとともに、記憶手段１２に記憶されている処理プログラム、例えば再利用可能なゴミに関する情報を収集するプログラム、収集した再利用可能なゴミに関する情報を各端末装置２に公開するプログラム、回収申し込み情報を受け付けるプログラム等に従って、種々のソフトウェア的機能を実行する。
【００２９】
記憶手段１２は、内蔵される固定型記憶装置（ハードディスク）、ＲＯＭ等で構成され、通信インタフェース１４を介した外部のコンピュータ、又はＤＶＤ、ＣＤ−ＲＯＭ等の可搬型記録媒体１８から取得した、中央装置１として機能させるために必要な処理プログラムを記憶している。記憶手段１２は、処理プログラムだけではなく、インターネット３等のネットワークを介して接続してある端末装置２、２、・・・から受信した再利用可能なゴミに関する情報を記憶してある。
【００３０】
ＲＡＭ１３は、ＤＲＡＭ等で構成され、ソフトウェアの実行時に発生する一時的なデータを記憶する。通信インタフェース１４は内部バス１９に接続されており、インターネット３等と通信することができるよう接続することにより、処理に必要とされるデータを送受信する。
【００３１】
入力手段１５は、画面上に表示された単語を選択するマウス等のポインティングデバイス、又は画面上でテキストデータを打鍵により入力するキーボード等である。出力手段１６は、画像を表示出力する液晶表示装置（ＬＣＤ）、表示ディスプレイ（ＣＲＴ）等の表示装置である。
【００３２】
補助記憶手段１７は、ＣＤ、ＤＶＤ等の可搬型記録媒体１８を用い、記憶手段１２へ、ＣＰＵ１１が処理するプログラム、データ等をダウンロードする。また、ＣＰＵ１１が処理したデータをバックアップすべく書き込むことも可能である。
【００３３】
図２は、本発明の実施の形態１に係る再利用可能なゴミの回収システムの端末装置２の構成を示すブロック図である。端末装置２は、少なくとも、ＣＰＵ（中央演算装置）２１、記憶手段２２、ＲＡＭ２３、インターネット３等の外部の通信手段と接続する通信インタフェース２４、入力手段２５、出力手段２６で構成される。
【００３４】
ＣＰＵ２１は、内部バス２７を介して端末装置２の上述したようなハードウェア各部と接続されており、上述したハードウェア各部を制御するとともに、記憶手段２２に記憶されている処理プログラム、例えばウェブブラウザ等に従って、種々のソフトウェア的機能を実行する。
【００３５】
記憶手段２２は、内蔵される固定型記憶装置（ハードディスク）、ＲＯＭ等で構成され、通信インタフェース２４を介した外部のコンピュータ、又はＤＶＤ、ＣＤ−ＲＯＭ等の可搬型記録媒体から取得した、端末装置２として機能させるために必要な処理プログラムを記憶している。
【００３６】
ＲＡＭ２３は、ＤＲＡＭ等で構成され、ソフトウェアの実行時に発生する一時的なデータを記憶する。通信インタフェース２４は内部バス２７に接続されており、インターネット３等と通信することができるよう接続することにより、処理に必要とされるデータを送受信する。
【００３７】
入力手段２５は、画面上に表示された単語を選択するマウス等のポインティングデバイス、又は画面上でテキストデータを打鍵により入力するキーボード等である。出力手段２６は、画像を表示出力する液晶表示装置（ＬＣＤ）、表示ディスプレイ（ＣＲＴ）等の表示装置である。
【００３８】
図３は、本発明の実施の形態１に係る再利用可能なゴミの回収システムの中央装置１のＣＰＵ１１での処理手順を示すフローチャートである。中央装置１のＣＰＵ１１は、再利用可能なゴミの登録用のホームページの表示要求情報を一の端末装置２ａから受信した場合（ステップＳ３０１：ＹＥＳ）、すなわち再利用可能なゴミの回収要求用のホームページへアクセス要求があった場合、表示要求情報の送信先である一の端末装置２ａに対して、再利用可能なゴミを登録する画面を示す第１の表示データ（ＨＴＭＬデータ）を送信する（ステップＳ３０２）。図４は、第１の表示データにより一の端末装置２ａの出力手段２６に表示される表示画面の例示図である。
【００３９】
図４に示すように、出力手段２６での表示画面を介して、再利用可能なゴミの回収希望者が入力すべき情報は、回収を希望する再利用可能なゴミの種類、数量等の回収対象特定情報、回収を希望する再利用可能なゴミを集積場へ持ち込むか否かに関する情報、回収時にゴミ出しておく場所に関する情報等の回収場所特定情報、及び再利用可能なゴミの回収を希望する希望者を特定する情報である氏名、住所、電話番号、Ｅ−ｍａｉｌアドレス等の回収希望者識別情報である。情報の入力は、一の端末装置２ａの入力手段２５を介して行われる。
【００４０】
一の端末装置２ａのＣＰＵ２１は、送信ボタンが選択されたことを検知した場合、表示画面上で入力されている回収場所特定情報、回収対象特定情報、及び回収希望者識別情報を、通信インタフェース２４を介して、中央装置１へ送信する。中央装置１のＣＰＵ１１は、通信インタフェース１４を介して、一の端末装置２ａから送信されてきた回収場所特定情報、回収対象特定情報、及び回収希望者識別情報を受信し（ステップＳ３０３）、回収対象特定情報に、再利用可能なゴミを識別する情報である識別ＩＤを付与して、記憶手段１２に記憶する（ステップＳ３０４）。
【００４１】
次に、中央装置１のＣＰＵ１１は、再利用可能なゴミの一覧表示／回収申し込み用のホームページの表示要求情報を他の端末装置２、２、・・・から受信した場合（ステップＳ３０５：ＹＥＳ）、すなわち再利用可能なゴミの一覧表示／回収申し込み用のホームページへアクセス要求があった場合、記憶手段１２に記憶した再利用可能なゴミに関する情報を表示する画面を示す第２の表示データを、表示要求情報の送信先である他の端末装置２、２、・・・へ送信する（ステップＳ３０６）。
【００４２】
図５は、第２の表示データにより他の端末装置２、２、・・・の出力手段２６に表示される表示画面の例示図である。図４と同様に、出力手段２６での表示画面を介して表示してある情報は、回収を希望する再利用可能なゴミを識別する情報である識別ＩＤ、回収を希望する再利用可能なゴミの種類、数量等の回収対象特定情報、回収を希望する再利用可能なゴミを集積場へ持ち込むか否かに関する情報、回収時にゴミ出しておく場所に関する情報等の回収場所特定情報、及び再利用可能なゴミの回収を希望する希望者を特定する情報である氏名、住所、電話番号、Ｅ−ｍａｉｌアドレス等の回収希望者識別情報である。
【００４３】
他の端末装置２、２、・・・では、識別ＩＤ毎に対応する再利用可能なゴミに関する情報を表示する。そして、他の端末装置２、２、・・・の使用者又は使用業者が、表示してある再利用可能なゴミについてリサイクルすることが可能であると判断した場合、回収申し込みボタンを選択する。他の端末装置２のＣＰＵ２１は、回収申し込みボタンを選択したことを検知した場合、回収申し込み画面の表示要求情報を中央装置１へ送信する。
【００４４】
中央装置１のＣＰＵ１１は、他の端末装置２から回収申し込み用のホームページの表示要求情報を受信した場合（ステップＳ３０７：ＹＥＳ）、受信した表示要求情報に対応する識別ＩＤで示される再利用可能なゴミに関する情報が記憶手段１２へ記憶された時点からの経過時間を算出する（ステップＳ３０８）。ＣＰＵ１１は、算出した経過時間が所定の時間、例えば２週間より長いか否かを判断する（ステップＳ３０９）。
【００４５】
ＣＰＵ１１が、算出した経過時間が所定の時間よりも長いと判断した場合（ステップＳ３０９：ＹＥＳ）、すなわち再利用可能なゴミの公開を開始してから所定の時間が経過した場合、従来の回収プロセスに従って、自治体又は自治体が指定した回収業者が、識別ＩＤに対応する再利用可能なゴミを回収する（ステップＳ３１０）。
【００４６】
なお、従来の回収プロセスに従うか否かを判断する基準は、表示要求信号に対応する識別ＩＤで示される再利用可能なゴミに関する情報が記憶手段１２へ記憶された時点からの経過時間の長短に限定されるものではなく、例えば回収希望日時から所定時間前であるか否かに基づいて判断しても良い。
【００４７】
ＣＰＵ１１が、算出した経過時間が所定の時間よりも短いと判断した場合（ステップＳ３０９：ＮＯ）、ＣＰＵ１１は、再利用可能なゴミの回収の申し込みを受け付ける画面を示す第３の表示データを、送信先である他の端末装置２へ送信する（ステップＳ３１１）。
【００４８】
図６は、第３の表示データにより他の端末装置２、２、・・・の出力手段２６に表示される表示画面の例示図である。出力手段２６での表示画面を介して表示してある情報は、回収を希望する再利用可能なゴミを識別する情報である識別ＩＤ、回収を希望する再利用可能なゴミの種類、数量等の回収対象特定情報、及び回収を希望する再利用可能なゴミを集積場へ持ち込むか否かに関する情報、回収時にゴミ出しておく場所に関する情報等の回収場所特定情報である。そして、入力手段２５を介して、再利用可能なゴミについてリサイクルを希望する希望者を特定する情報である氏名、住所、電話番号、Ｅ−ｍａｉｌアドレス等のリサイクル希望者識別情報を入力し、送信ボタンを選択することにより、リサイクル希望者識別情報を中央装置１へ送信する。
【００４９】
中央装置１のＣＰＵ１１は、他の端末装置２からリサイクル希望者識別情報を受信し、受信した識別ＩＤと対応付けてリサイクル希望者識別情報を記憶手段１２に記憶する（ステップＳ３１２）。そして、該識別ＩＤに対応する再利用可能なゴミの回収者として割当てた旨を示す割当て通知情報を、該他の端末装置２へ送信する（ステップＳ３１３）。
【００５０】
なお、本実施の形態１では、識別ＩＤに対応する再利用可能なゴミの回収者として割当てるのは、識別ＩＤを付与した再利用可能なゴミが広く公開された時点から所定の期間内であって、最先にリサイクル希望者識別情報を送信した他の端末装置２に係るリサイクル希望者であるが、特にこれに限定されるものではなく、例えば一定期間内に最も高い回収金額を入札したリサイクル希望者に割当てるといった、いわゆるオークション形式で割当てる方法であっても良い。
【００５１】
以上のように本実施の形態１によれば、再利用可能なゴミとして登録された場合、広く不特定多数の第三者に対して公開され、リサイクルの希望者が所定の期間内にリサイクル目的での回収を希望した場合、リサイクルの希望者を、再利用可能なゴミの回収者として割当てることができ、自治体の枠に止まらずに、広くリサイクル対象物の流通を促進することが可能となる。
【００５２】
（実施の形態２）
以下、本発明の実施の形態２に係る再利用可能なゴミの回収システムについて図面に基づいて具体的に説明する。実施の形態２に係る再利用可能なゴミの回収システムの構成は実施の形態１と同様であることから、同一の符号を付することで詳細な説明は省略する。本実施の形態２は、再利用可能なゴミ自体に識別標識として二次元コードであるＱＲコードを貼付している点で実施の形態１と相違する。また、貼付するＱＲコードを印刷出力すべく、端末装置２の出力手段２６は、画像を表示出力する液晶表示装置（ＬＣＤ）、表示ディスプレイ（ＣＲＴ）等の表示装置、及びレーザプリンタ、インクジェットプリンタ等の印刷装置である。
【００５３】
図７は、本発明の実施の形態２に係る再利用可能なゴミの回収システムで用いるＱＲコードの例示図である。ＱＲコードは、二次元コードの１種であり、バーコードと異なり縦方向及び横方向の２方向に情報を有することで、記録することが可能な情報量が飛躍的に増加している。なお、本実施の形態２では二次元コードとしてＱＲコードを用いているが、省スペース可能で記憶容量が大きい二次元コードであれば特に限定されるものではない。
【００５４】
中央装置１のＣＰＵ１１は、一の端末装置２ａから送信されてきた回収場所特定情報、回収対象特定情報、及び回収希望者識別情報を受信し、回収対象特定情報に、再利用可能なゴミを識別する情報である識別ＩＤを付与して、記憶手段１２に記憶する（図３のステップＳ３０４）。本実施の形態２では、識別ＩＤの付与時に、該識別ＩＤに対応付けた回収場所特定情報、回収対象特定情報、及び回収希望者識別情報を含むＱＲコードを発行し、一の端末装置２ａへ送信する。
【００５５】
一の端末装置２ａのＣＰＵ２１がＱＲコードを受信した場合、再利用可能なゴミの回収希望者は、出力手段２６を用いて受信したＱＲコードを印刷出力し、出力したＱＲコードを、識別標識として、回収対象である再利用可能なゴミへ貼付する。
【００５６】
自治体、自治体の指定する回収業者、又はリサイクル用として回収を希望したリサイクル希望者（以下、総称してゴミ回収者という）は、識別ＩＤに対応する再利用可能なゴミの回収希望日時に回収場所へ出向き、回収対象となる再利用可能なゴミが出されているか否かを確認する。
【００５７】
具体的には、ゴミ回収者は、ＱＲコードを撮影可能な通信機能付撮影装置を持参する。通信機能付撮影装置として、例えばカメラ付携帯電話を用いる。ゴミ回収者は、カメラ付携帯電話で回収対象となる再利用可能なゴミに貼付してあるＱＲコードを撮影し、撮影した画像を中央装置１へ送信する。
【００５８】
図８は、本発明の実施の形態２に係る再利用可能なゴミの回収システムの中央装置１のＣＰＵ１１でのＱＲコード受信後の処理手順を示すフローチャートである。中央装置１のＣＰＵ１１は、カメラ付携帯電話で撮影したＱＲコードを示す画像を受信し（ステップＳ８０１）、画像を解析してＱＲコードに記録されている識別ＩＤに対応付けた回収場所特定情報、回収対象特定情報、及び回収希望者識別情報を抽出する（ステップＳ８０２）。
【００５９】
ＣＰＵ１１は、抽出した識別ＩＤに対応付けた回収場所特定情報、回収対象特定情報、及び回収希望者識別情報を、記憶手段１２に記憶してある識別ＩＤに対応付けた回収場所特定情報、回収対象特定情報、及び回収希望者識別情報と比較照合し（ステップＳ８０３）、両者が一致するか否かを判断する（ステップＳ８０４）。
【００６０】
ＣＰＵ１１が、両者が一致すると判断した場合（ステップＳ８０４：ＹＥＳ）、回収場所へ出されており、ゴミ回収者が撮影したＱＲコードが貼付してあるゴミが、記憶手段１２に記憶されているゴミであるものと判断できることから、ゴミ回収者の持参しているカメラ付携帯電話に対して、該ＱＲコードが貼付してあるゴミの回収許可を付与する回収許可情報を送信する（ステップＳ８０５）。ゴミ回収者は、持参しているカメラ付携帯電話で回収許可情報を受信した場合、撮影したＱＲコードを貼付してあるゴミが回収対象であると確認することができ、誤りなく回収することが可能となる。
【００６１】
ＣＰＵ１１が、両者が一致しないと判断した場合（ステップＳ８０４：ＮＯ）、回収場所へ出されており、ゴミ回収者が撮影したＱＲコードが貼付してあるゴミは、悪意ある第三者が不正に偽造したＱＲコードが貼付してあるものと判断することができ、ゴミ回収者の持参しているカメラ付携帯電話に対して、該ＱＲコードが貼付してあるゴミの回収許可を付与しない回収不許可情報を送信する（ステップＳ８０６）。ゴミ回収者は、持参しているカメラ付携帯電話で回収不許可情報を受信した場合、撮影したＱＲコードを貼付してあるゴミが回収対象でないと確認することができ、不正な回収を未然に回避することが可能となる。
【００６２】
なお、本実施の形態２では、カメラ付携帯電話でＱＲコードを撮影した画像を中央装置１へ送信し、中央装置１のＣＰＵ１１でＱＲコードに記録されている情報を抽出しているが、カメラ付携帯電話がＱＲコードのリーダを備えており、カメラ付携帯電話内でＱＲコードに記録されている情報を抽出し、抽出した情報を中央装置１へ送信するものであっても良い。
【００６３】
以上のように本実施の形態２によれば、悪意ある第三者が、自分のゴミを便乗して回収させるべく、同じ回収場所にゴミを出した場合であっても、回収業者は、料金の支払いがなされているゴミであるか否かを回収場所で判断することができ、本来回収されるべき再利用可能なゴミだけを回収し、悪意ある第三者による料金支払いなきゴミの廃棄を未然に防止することが可能となる。
【００６４】
なお、上述した実施の形態１及び２では、市役所等の自治体に設置してある中央装置１と、一般の利用者の家庭に設定してある複数の端末装置２、２、・・・とが、インターネット３等の通信手段を介して相互にデータを送受信することが可能に接続されている環境に限定されるものではなく、中央装置１と複数の端末装置２、２、・・・とが通信手段を介して相互にデータを送受信することが可能に接続されていれば足り、中央装置１の設置場所、複数の端末装置２、２、・・・の設置場所については、特に限定されない。
【００６５】
以上の実施の形態１及び２に関し、さらに以下の付記を開示する。
【００６６】
（付記１）
再利用可能なゴミの回収先を制御する中央装置と、該中央装置と通信手段を介して接続してある複数の端末装置とを備える再利用可能なゴミの回収システムにおいて、
前記中央装置は、少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶してあり、
前記中央装置が前記第１の表示データを前記端末装置へ送信する手段と、
一の端末装置で、少なくとも再利用可能なゴミを識別する情報を含む再利用可能なゴミに関する情報を受け付ける手段と、
前記一の端末装置が前記再利用可能なゴミに関する情報を前記中央装置へ送信する手段と、
前記中央装置が前記再利用可能なゴミに関する情報を前記一の端末装置から受信して記憶する手段と、
前記中央装置が、記憶してある再利用可能なゴミに関する情報、前記第２の表示データ及び前記第３の表示データを他の端末装置へ送信する手段と、
前記他の端末装置で、再利用可能なゴミを識別する情報を含む再利用可能なゴミの回収を申し込む旨を示す回収申し込み情報を受け付ける手段と、
前記他の端末装置が、前記回収申し込み情報を前記中央装置へ送信する手段と、
前記中央装置が前記他の端末装置から前記回収申し込み情報を受信する手段と、
前記中央装置が再利用可能なゴミに関する情報を記憶した時点から所定の時間経過する前に前記他の端末装置から前記回収申し込み情報を受信した場合、前記中央装置が受信した回収申し込み情報の送信先である前記他の端末装置を識別する情報を、該再利用可能なゴミの回収先として割当てて記憶する手段と、
前記中央装置が前記他の端末装置へ回収先として割当てた旨を示す情報を送信する手段と
を備えることを特徴とする再利用可能なゴミの回収システム。
【００６７】
（付記２）
前記再利用可能なゴミに関する情報は、再利用可能なゴミの種類、量、及び回収場所に関する情報を含むことを特徴とする付記１記載の再利用可能なゴミの回収システム。
【００６８】
（付記３）
再利用可能なゴミの回収先を制御し、通信手段を介して複数の端末装置と接続してある中央装置において、
少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶してあり、
前記第１の表示データを一の端末装置へ送信する手段と、
前記一の端末装置から、少なくとも再利用可能なゴミを識別する情報を含む再利用可能なゴミに関する情報を受信して記憶する手段と、
該手段で記憶した再利用可能なゴミに関する情報、前記第２の表示データ及び前記第３の表示データを他の端末装置へ送信する手段と、
前記他の端末装置から再利用可能なゴミを識別する情報を含む再利用可能なゴミの回収を申し込む旨を示す回収申し込み情報を受信する手段と、
再利用可能なゴミに関する情報を記憶した時点から所定の時間経過する前に前記他の端末装置から前記回収申し込み情報を受信した場合、受信した回収申し込み情報の送信先である前記他の端末装置を識別する情報を、該再利用可能なゴミの回収先として割当てて記憶する手段と、
前記他の端末装置へ回収先として割当てた旨を示す情報を送信する手段と
を備えることを特徴とする中央装置。
【００６９】
（付記４）
前記再利用可能なゴミに関する情報は、再利用可能なゴミの種類、量、及び回収場所に関する情報を含むことを特徴とする付記３記載の中央装置。
【００７０】
（付記５）
再利用可能なゴミの回収先を制御し、通信手段を介して、外部と接続してあるコンピュータで実行することが可能なコンピュータプログラムにおいて、
少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶手段へ記憶しておき、
前記第１の表示データを外部へ送信する手段と、
外部から、少なくとも再利用可能なゴミを識別する情報を含む再利用可能なゴミに関する情報を受信して記憶する手段と、
該手段で記憶した再利用可能なゴミに関する情報、前記第２の表示データ及び前記第３の表示データを外部へ送信する手段と、
外部から再利用可能なゴミを識別する情報を含む再利用可能なゴミの回収を申し込む旨を示す回収申し込み情報を受信する手段と、
再利用可能なゴミに関する情報を記憶した時点から所定の時間経過する前に外部から前記回収申し込み情報を受信した場合、受信した回収申し込み情報の送信先を識別する情報を、該再利用可能なゴミの回収先として割当てて記憶する手段と、
外部へ回収先として割当てた旨を示す情報を送信する手段と
を含むことを特徴とするコンピュータプログラム。
【００７１】
（付記６）
再利用可能なゴミの回収先を制御する中央装置と、該中央装置と通信手段を介して接続してある複数の端末装置とを用いた再利用可能なゴミの回収方法において、
前記中央装置は、少なくとも再利用可能なゴミを登録する画面を示す第１の表示データと、登録した再利用可能なゴミを表示する画面を示す第２の表示データと、表示されている再利用可能なゴミの回収申し込みを受け付ける画面を示す第３の表示データとを記憶し、
前記中央装置は、前記第１の表示データを前記端末装置へ送信し、
一の端末装置は、少なくとも再利用可能なゴミを識別する情報を含む再利用可能なゴミに関する情報を受け付け、該再利用可能なゴミに関する情報を前記中央装置へ送信し、
前記中央装置は、該再利用可能なゴミに関する情報を前記一の端末装置から受信して記憶し、記憶してある再利用可能なゴミに関する情報、前記第２の表示データ及び前記第３の表示データを他の端末装置へ送信し、
前記他の端末装置は、再利用可能なゴミを識別する情報を含む再利用可能なゴミの回収を申し込む旨を示す回収申し込み情報を受け付け、該回収申し込み情報を前記中央装置へ送信し、
前記中央装置は、前記他の端末装置から前記回収申し込み情報を受信し、再利用可能なゴミに関する情報を記憶した時点から所定の時間経過する前に前記他の端末装置から前記回収申し込み情報を受信した場合、受信した回収申し込み情報の送信先である前記他の端末装置を識別する情報を、該再利用可能なゴミの回収先として割当てて記憶し、前記他の端末装置へ回収先として割当てた旨を示す情報を送信することを特徴とする再利用可能なゴミの回収方法。
【００７２】
（付記７）
前記再利用可能なゴミに関する情報は、再利用可能なゴミの種類、量、及び回収場所に関する情報を含むことを特徴とする付記６記載の再利用可能なゴミの回収方法。
【００７３】
（付記８）
前記再利用可能なゴミは、少なくとも再利用可能なゴミを識別する情報を含む再利用可能なゴミに関する情報を前記端末装置で入力された時点で、前記再利用可能なゴミを識別する情報を表示した識別標識を貼付し、
前記中央装置は、通信機能を有する撮像装置で前記識別標識を撮像した画像を受信し、
受信した前記識別標識の画像を解析して、再利用可能なゴミを識別する情報を抽出し、
抽出した再利用可能なゴミを識別する情報と、記憶している再利用可能なゴミを識別する情報とが一致しているか否かを判断し、
一致していると判断した場合、前記通信機能を有する撮像装置へ回収を許可する旨を示す回収許可情報を送信することを特徴とする付記６又は７記載の再利用可能なゴミの回収方法。
【００７４】
（付記９）
前記識別標識は、二次元コードであることを特徴とする付記８記載の再利用可能なゴミの回収方法。
【図面の簡単な説明】
【００７５】
【図１】本発明の実施の形態１に係る再利用可能なゴミの回収システムの構成を示すブロック図である。
【図２】本発明の実施の形態１に係る再利用可能なゴミの回収システムの端末装置の構成を示すブロック図である。
【図３】本発明の実施の形態１に係る再利用可能なゴミの回収システムの中央装置のＣＰＵでの処理手順を示すフローチャートである。
【図４】第１の表示データにより一の端末装置の出力手段に表示される表示画面の例示図である。
【図５】第２の表示データにより他の端末装置の出力手段に表示される表示画面の例示図である。
【図６】第３の表示データにより他の端末装置の出力手段に表示される表示画面の例示図である。
【図７】本発明の実施の形態２に係る再利用可能なゴミの回収システムで用いるＱＲコードの例示図である。
【図８】本発明の実施の形態２に係る再利用可能なゴミの回収システムの中央装置のＣＰＵでのＱＲコード受信後の処理手順を示すフローチャートである。
【符号の説明】
【００７６】
１  中央装置
２、２ａ  端末装置
３  インターネット
１１、２１  ＣＰＵ
１２、２２  記憶手段
１３、２３  ＲＡＭ
１４、２４  通信インタフェース
１５、２５  入力手段
１６、２６  出力手段
１７  補助記憶手段
【図１】
2006008312.tif 000003
【図２】
2006008312.tif 000004
【図３】
2006008312.tif 000005
【図４】
2006008312.tif 000006
【図５】
2006008312.tif 000007
【図６】
2006008312.tif 000008
【図７】
2006008312.tif 000009
【図８】
2006008312.tif 000010